(57)【要約】【課題】  小型の通信端末から送信される情報に基づいてウェブページを表示させるための情報を製作するウェブ設定システムを提供すること。【解決手段】  このウェブ設定システム１０は、ウェブページを製作するための基本情報を携帯電話機２０から受信する申込み受付部１０２と、当該受信した基本情報に基づいてウェブページを製作し、当該製作したウェブページを通信端末に表示させるための表示情報をページ情報格納部１５３に格納するページ生成部１０５と、当該格納された表示情報のＵＲＬを設定するＵＲＬ割当部１０３と、当該設定されたＵＲＬを含む２次元コード情報を生成し、当該生成した２次元コード情報を該２次元コード情報に基づいて多孔性印面部材を製作するための印面製造システム３０に出力する２次元コード生成部１０４と、を備える。【選択図】  図３
2005174257.tif 000002
【特許請求の範囲】
【請求項１】
ウェブページを製作するための基本情報を第一の通信端末から受信する申込み受付手段と、
当該受信した基本情報に基づいて前記ウェブページを製作し、当該製作したウェブページを通信端末に表示させるための表示情報をページ情報格納手段に格納するページ生成手段と、
当該格納された表示情報のネットワーク上のロケーションを特定するための所在情報を設定する所在情報設定手段と、
当該設定された所在情報を含む２次元コード情報を生成し、当該生成した２次元コード情報を該２次元コード情報に基づいて多孔性印面部材を製作するための印面製造システムに出力するコード生成手段と、
を備えるウェブ設定システム。
【請求項２】
前記ページ情報格納手段に格納されている表示情報を変更するための変更情報を前記第一の通信端末から受信し、当該受信した変更情報に基づいて前記ページ情報格納手段に格納されている表示情報を変更する情報更新手段を備える、請求項１に記載のウェブ設定システム。
【請求項３】
前記多孔性印面部材を用いて押印された印影からデコードした所在情報を通信端末から受信し、当該受信した所在情報に対応する表示情報を、当該所在情報を送信した通信端末に送信する表示情報送信手段を備える、請求項１又は２に記載のウェブ設定システム。
【発明の詳細な説明】
【技術分野】
【０００１】
本発明は、ウェブページを製作するウェブ設定システムに関する。
【背景技術】
【０００２】
インターネットの発達に伴って、自己の情報を発信するためのウェブページ（若しくはウェブページの集合体としてのウェブサイト）を立ち上げることが増えている。このウェブページは、例えば自宅のパーソナルコンピュータでウェブページを表示させるための情報をマークアップ言語で書き、その書いた情報をサーバシステムにアップロードする。このアップロードした情報は特定のＵＲＬで閲覧することが可能となる。
【０００３】
ところで、携帯電話機といった小型の通信端末においてもウェブページを閲覧することが可能になっている。携帯電話機のディスプレイはパーソナルコンピュータのディスプレイほど大きくはないため、そこに表示できる内容には自ずと制限がある。そこで、携帯電話機で閲覧させるためのウェブページは、一定の制限下で製作される。より具体的には、各携帯電話機に対応するウェブページを表示させるための情報を、パーソナルコンピュータを用いてマークアップ言語で書き、その書いた情報をサーバシステムにアップロードする。（例えば、下記非特許文献１参照。）。
【非特許文献１】株式会社エヌ・ティ・ティ・ドコモ  ホームページ、［２００３年１２月１１日検索］、インターネット〈ＵＲＬ：ｈｔｔｐ：／／ｗｗｗ．ｎｔｔｄｏｃｏｍｏ．ｃｏ．ｊｐ／ｐ＿Ｓ／ｉｍｏｄｅ／〉
【発明の開示】
【発明が解決しようとする課題】
【０００４】
上記非特許文献１に記載の内容によれば、携帯電話機でウェブページを表示させるための情報を記述して登録することはできないものとされている。
【０００５】
そこで本発明では、小型の通信端末から送信される情報に基づいてウェブページを表示させるための情報を製作するウェブ設定システムを提供することを目的とする。
【課題を解決するための手段】
【０００６】
本発明のウェブ設定システムは、（１）ウェブページを製作するための基本情報を第一の通信端末から受信する申込み受付手段と、（２）当該受信した基本情報に基づいてウェブページを製作し、当該製作したウェブページを通信端末に表示させるための表示情報をページ情報格納手段に格納するページ生成手段と、（３）当該格納された表示情報のネットワーク上のロケーションを特定するための所在情報を設定する所在情報設定手段と、（４）当該設定された所在情報を含む２次元コード情報を生成し、当該生成した２次元コード情報を該２次元コード情報に基づいて多孔性印面部材を製作するための印面製造システムに出力するコード生成手段と、を備える。
【０００７】
本発明のウェブ設定システムによれば、ユーザが使用する第一の通信端末から受信する基本情報に基づいてウェブページを製作するので、ユーザは例えばパーソナルコンピュータといった他の機器を使用せずにウェブページを開設することが可能となる。また、そのウェブページを閲覧するための所在情報を含む２次元コード情報を印面製造システムに製造するので、印面製造システムにおいてはその２次元コード情報を印影とする多孔性印面部材の製作が可能となる。
【０００８】
また、本発明のウェブ設定システムでは、ページ情報格納手段に格納されている表示情報を変更するための変更情報を第一の通信端末から受信し、当該受信した変更情報に基づいてページ情報格納手段に格納されている表示情報を変更する情報更新手段を備えることも好ましい。第一の通信端末から送信される変更情報に基づいてページ情報格納手段に格納されている表示情報を変更するので、一旦登録した情報をユーザの意図に応じて容易に変更できる。
【０００９】
また、本発明のウェブ設定システムでは、多孔性印面部材を用いて押印された印影からデコードした所在情報を通信端末から受信し、当該受信した所在情報に対応する表示情報を、当該所在情報を送信した通信端末に送信する表示情報送信手段を備えることも好ましい。
【発明の効果】
【００１０】
本発明のウェブ設定システムによれば、小型の通信端末から送信される情報に基づいてウェブページを表示させるための情報を製作できる。
【発明を実施するための最良の形態】
【００１１】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１２】
本実施形態のウェブ設定システムについて説明するのに先立って、本実施形態のウェブ設定システムを利用して実現できるビジネスモデルについて図１を参照しながら説明する。図１は、このビジネスモデルを説明するためのシーケンス図である。ユーザＡが印鑑本体（詳細は後述する）を販売店で購入する（Ｓ０１）。この印鑑本体には申込みページのＵＲＬが記載されており、ユーザＡは自己の携帯電話機を使用してそのＵＲＬで特定されるウェブページにアクセスすることで、ウェブ設定システムに申込みページ送信要求を行う（Ｓ０２）。この申込みページ送信要求に応じて、ウェブ設定システムは申込みページを送信する（Ｓ０３）。この申込みページをユーザＡの携帯電話機が受信し、そのディスプレイに申込みページを表示する。ユーザＡは表示された申込みページを参照しながら、必要事項（基本情報：名称、住所、電話番号、ファックス番号、メールアドレス、メッセージ等）を入力する（Ｓ０４）。入力した必要事項はユーザＡの携帯電話機からウェブ設定システムへ送信する（Ｓ０５）。
【００１３】
ウェブ設定システムはこの必要事項を受信すると、ユーザＡ用のＵＲＬ（所在情報）を割り当てて、そのＵＲＬを含む２次元コード情報を生成する（Ｓ０６）。ウェブ設定システムは生成した２次元コードを印面製造システムに出力する（Ｓ０７）。また、ウェブ設定システムは割り当てたＵＲＬに対応するユーザＡのウェブページを生成する（Ｓ０８）。
【００１４】
印面製造システムはウェブ設定システムから２次元コード情報を受け取ると、その２次元コード情報に基づいて版下データを生成する（Ｓ０９）。この版下データは２次元コードを印影とするための印面を製作するためのものである。印面製造システムはこの版下データに基づいて多孔性印面部材を製造する（Ｓ１０）。印面製造システムは製造した多孔性印面部材をユーザＡに送付する（Ｓ１１）。
【００１５】
ユーザＡは受け取った多孔性印面部材をＳ０１で購入した印鑑本体に取り付ける（Ｓ１２）。ユーザＡは多孔性印面部材を取り付けた印鑑で押印し、その印影（２次元コード）をユーザＢに譲渡する（Ｓ１３）。
【００１６】
ユーザＢはこの受け取った印影（２次元コード）をユーザＢ自身の携帯電話機で読み取る（Ｓ１４）。ユーザＢはこの読み取った２次元コードで特定されるＵＲＬを自身の携帯電話機に入力し、対応するウェブページを送信するようにウェブ設定システムに要求する（Ｓ１５）。ウェブ設定システムはこの要求に応じてウェブページを表示するための情報を選択して送信する（Ｓ１６）。従って、ユーザＡが登録した情報に基づくウェブページをユーザＢが入手することが可能になる。尚、本実施形態ではユーザＡが印鑑本体を実店舗で購入することとしているが、ウェブページでの申込みに応じて印面と共に印鑑本体が送付されるようにしてもよい。
【００１７】
引き続いて、上述のビジネスモデルで取り扱われる印鑑本体について図２（Ａ）及び図２（Ｂ）を参照しながら説明する。図２（Ａ）に示すように、この印鑑本体５０は、第一本体部５０１と、第二本体部５０２と、第三本体部５０３と、第四本体部５０４と、第四本体部５０４に取り付けられたストラップ５０５と、から構成される。第一本体部５０１、第二本体部５０２、第三本体部５０３、及び第四本体部５０４はそれぞれが分離可能なように構成されている。上述のビジネスモデルにおけるＳ１２でユーザＡが多孔性印面部材６０を取り付ける場合について図２（Ｂ）を参照しながら説明する。ユーザＡはまず、第一本体部５０１を取り外す。第一本体部５０１を取り外すことで露出した第二本体部５０２の印面取り付け面５０２ａに、送付された多孔性印面部材６０を取り付ける。第一本体部５０１の内部は空洞となっていて、第一本体部５０１を第二本体部５０２に再度取り付けると、第二本体部５０２の印面取り付け面５０２ａに取り付けた多孔性印面部材６０は第一本体部５０１の内部に収納される。尚、第三本体部５０３及び第四本体部５０４にも第二本体部と同様の印面取り付け面（図示しない）が設けられている。本実施形態の場合、多孔性印面部材６０のサイズは１４ｍｍ角サイズ〜１６ｍｍ角サイズのものが用いられるが、更に小型のサイズのものを用いてもよい。また、印鑑本体５０は、第一本体部５０１と、第二本体部５０２と、第三本体部５０３と、第四本体部５０４と、の四つの部分から構成されているが、これに限られるものではなく印面の数は使用の形態に合うように適宜変更可能である。また、印鑑本体５０は直方体形状をしているが、持ち手の部分が細くなるように構成されていてもよい。また、印鑑本体５０の側面等には動物などのキャラクタデザインが施されていてもよい。
【００１８】
引き続いて、本実施形態のウェブ設定システム１０について図３を参照しながら説明する。ウェブ設定システム１０は、ユーザＡが使用する携帯電話機２０（第一の通信端末）及びユーザＢが使用する携帯電話機２５（通信端末）と移動体通信網を介して通信可能なように構成されている。ウェブ設定システム１０は印面製造システム３０とも通信可能なように構成されている。携帯電話機２０及び携帯電話機２５は、音声通話及び情報通信が可能であり、２次元コードを読み取るインタフェイスも備えている。
【００１９】
ウェブ設定システム１０は物理的には、ＣＰＵ（中央処理装置）、メモリ、マウスやキーボードといった入力装置、ディスプレイといった表示装置、ハードディスクといった格納装置などを備えたコンピュータシステム（若しくはコンピュータシステムの集合体）である。ウェブ設定システム１０は機能的な構成要素として、フォーム提供部１０１と、申込み受付部１０２（申込み受付手段）と、ＵＲＬ割当部１０３（所在情報設定手段）と、２次元コード生成部１０４（コード生成手段）と、ページ生成部１０５（ページ生成手段）と、ページ更新部１０６（情報更新手段）と、ページ送信部１０７（表示情報送信手段）と、受付フォーム格納部１５１と、ＵＲＬ格納部１５２と、ページ情報格納部１５３（ページ情報格納手段）と、を備える。引き続いて各構成要素について説明する。
【００２０】
フォーム提供部１０１は、携帯電話機２０から送信される申込みページの送信要求に応じて、受付フォーム格納部１５１に格納されている申込みページを表示するための情報を選択し、その選択した申込みページを表示するための情報を携帯電話機２０に送信する部分である（図１のＳ０２〜Ｓ０３参照）。受付フォーム格納部１５１に格納されている申込みページを表示するための情報は、携帯電話機の機種に応じて複数格納されていてもよく、機種のモデルチェンジに応じて更新されてもよい。
【００２１】
申込み受付部１０２は、ウェブページを製作するための基本情報を携帯電話機２０から受信し、ＵＲＬ割当部１０３に出力する部分である。この基本情報は携帯電話機２０にユーザＡが入力したものである（図１のＳ０４〜Ｓ０５参照）。
【００２２】
ＵＲＬ割当部１０３は、各基本情報それぞれにＵＲＬを割り当てて設定する部分である（図１のＳ０６参照）。ＵＲＬ割当部１０３はＵＲＬ格納部１５２に格納されているＵＲＬの候補からＵＲＬを選択して設定し、設定したＵＲＬはＵＲＬ格納部１５２から削除する。ＵＲＬ割当部１０３は、基本情報とその基本情報に割り当てたＵＲＬとを２次元コード生成部１０４及びページ生成部１０５に出力する。
【００２３】
２次元コード生成部１０４は、ＵＲＬ割当部１０３から出力されるＵＲＬに基づいて、そのＵＲＬを含む２次元コード情報を生成し、その生成した２次元コード情報を基本情報と共に印面製造システム３０に出力する部分である（図１のＳ０６〜Ｓ０７参照）。
【００２４】
ページ生成部１０５は、ＵＲＬ割当部１０３から出力される基本情報に基づいてウェブページを製作し、そのウェブページを携帯電話機に表示させるための表示情報をマークアップ言語で記述して、その表示情報をページ情報格納部１５３に格納する部分である。従って、ページ情報格納部１５３には、各ＵＲＬに関連付けて、「名称」「住所」「電話番号」「ファックス番号」「メールアドレス」「メッセージ」がウェブページとして表示できるようにＣＨＴＭＬ（Ｃｏｍｐａｃｔ  Ｈｙｐｅｒ  Ｔｅｘｔ  Ｍａｒｋｕｐ  Ｌａｎｇｕａｇｅ）などのマークアップ言語で記述された情報が格納されている。
【００２５】
ページ更新部１０６は、ページ情報格納部１５３に格納されている表示情報を変更するための変更情報を携帯電話機２０から受信し、その受信した変更情報に基づいてページ情報格納部１５３に格納されている表示情報を変更する部分である。例えば、「名称」が「ｎａｍｅ００１」の表示情報の「電話番号」を「ｔｅｌ００３」に変更する変更情報を受信すれば、図４に例示した該当部分の「電話番号」を「ｔｅｌ００１」から「ｔｅｌ００３」に変更する。
【００２６】
ページ送信部１０７は、携帯電話機２５から受信したＵＲＬに対応する表示情報をページ情報格納部１５３に格納されている表示情報から選択し、その選択した表示情報を携帯電話機２５に送信する部分である。携帯電話機２５は、ユーザＡが押印した印影（２次元コード）を読み取って、その読み取った２次元コードをデコードし、デコードしたＵＲＬをウェブ設定システム１０に送信する。ページ送信部１０７はこの送信されたＵＲＬに基づいて表示情報を選択して携帯電話機２５に送信する（図１のＳ１３〜Ｓ１６参照）。
【００２７】
引き続いて、ウェブ設定システム１０の動作について図５を参照しながら説明する。ウェブ設定システム１０は、各ユーザから何らかの情報を受信するための待ち状態にある（ステップＳ１１）。ユーザから情報を受信すると、その情報が申込みページの送信要求であるか判断する（ステップＳ１２）。その情報が申込みページの送信要求であれば、ウェブ設定システム１０のフォーム提供部１０１が申込みページを送信する（ステップＳ１３）。
【００２８】
ステップＳ１２において、受信した情報が申込みページの送信要求でないと判断すると、受信した情報が申し込み事項すなわち基本情報であるか判断する（ステップＳ１４）。その情報が基本情報であれば、申込み受付部１０２がその基本情報を受信し、ＵＲＬ割当部１０３に出力する。ＵＲＬ割当部１０３は受信した基本情報に対してＵＲＬを割り当てる（ステップＳ１５）。ＵＲＬ割当部１０３は基本情報と割り当てたＵＲＬとを２次元コード生成部１０４及びページ生成部１０５に出力する。ページ生成部１０５はこの出力されたＵＲＬ及び基本情報に基づいてウェブページを生成してページ情報格納部１５３に格納する（ステップＳ１６）。また、２次元コード生成部１０４はこの出力されたＵＲＬに基づいて２次元コードを生成する（ステップＳ１７）。２次元コード生成部１０４は生成した２次元コード及び基本情報を印面製造システム３０に送信する（ステップＳ１８）。
【００２９】
ステップＳ１４において、受信した情報が基本情報でないと判断すると、受信した情報が変更情報であるか判断する（ステップＳ１９）。その情報が変更情報であれば、ページ更新部１０６がページ情報格納部１５３に格納されている表示情報を更新する（ステップＳ２０）。
【００３０】
ステップＳ１９において、受信した情報が変更情報でないと判断すると、受信した情報がページ送信要求としてのＵＲＬであるか判断する（ステップＳ２１）。受信した情報がページ送信要求でなければ処理を終了して初期状態に戻り、受信した情報がページ送信要求であればページ送信部１０７がページ情報格納部１５３から該当する表示情報を選択して携帯電話機に送信する（ステップＳ２２）。
【図面の簡単な説明】
【００３１】
【図１】本実施形態のウェブ設定システムを利用したビジネスモデルの流れを示す図である。
【図２】図１のビジネスモデルにおいて利用される印鑑を示す図である。
【図３】本実施形態であるウェブ設定システムの構成を示す図である。
【図４】図３のページ情報格納部に格納されている情報の例を示す図である。
【図５】本実施形態であるウェブ設定システムの処理の流れを示す図である。
【符号の説明】
【００３２】
１０…ウェブ設定システム、２０…携帯電話機、２５…携帯電話機、３０…印面製造システム、１０１…フォーム提供部、１０２…申込み受付部、１０３…ＵＲＬ割当部、１０４…２次元コード生成部、１０５…ページ生成部、１０６…ページ更新部、１０７…ページ送信部、１５１…受付フォーム格納部、１５２…ＵＲＬ格納部、１５３…ページ情報格納部。
【図１】
2005174257.tif 000003
【図２】
2005174257.tif 000004
【図３】
2005174257.tif 000005
【図４】
2005174257.tif 000006
【図５】
2005174257.tif 000007